(57)【特許請求の範囲】
【請求項１】
回転軸にハブが結合された回転部及びスリーブに回転軸が結合された固定部を含むスピンドルモーターであって、
前記回転軸の下端部にはスラスト動圧軸受部が形成され、前記スラスト動圧軸受部には連続したスクロール溝が形成され、
前記回転軸の下端部には回転軸を支持するサポートをさらに含み、前記回転軸とサポートとの間の微小隙間にスラスト動圧軸受部が形成され、
前記スラスト動圧軸受部には、外側から中心を向けて回転半径が漸進的に減少されるように、複数回、回転され、一つの始点と一つの終点を有するスクロール溝が形成され、
前記スラスト動圧軸受部の連続したスクロール溝は、始点と終点が夫々互いに対向するように複数個が形成されることを特徴とする、スピンドルモーター。
【請求項２】
前記連続したスクロール溝には、複数の開放部が形成されることを特徴とする請求項１に記載のスピンドルモーター。
【請求項３】
前記スリーブの内周面とシャフトの外周面との間には、半径方向にラジアル動圧軸受部が形成されることを特徴とする請求項１に記載のスピンドルモーター。
【請求項４】
前記回転部は、  
回転軸と、
前記回転軸の上端部に固定されるハブと、
前記ハブの内周面に固定されるマグネットと、を含むことを特徴とする請求項１に記載のスピンドルモーター。
【請求項５】
前記固定部は、
前記回転軸を回転自在に支持するスリーブと、
前記スリーブの外周面に結合されるブラケットと、
前記ブラケットの外周部に結合されるステーターと、
前記回転軸の下部を支持し、スリーブに結合されるサポートと、を含むことを特徴とする請求項１に記載のスピンドルモーター。
【発明の詳細な説明】
【技術分野】
【０００１】
本発明は、スピンドルモーターに関する。
【背景技術】
【０００２】
一般的に、ハードディスクなどの記録ディスクの駆動装置として用いられるスピンドルモーターは、モーターの回転時にシャフトとスリーブとの間の隙間に貯蔵されるオイル（ｏｉｌ）などの潤滑流体と、これによって発生された動圧を利用する流体動圧軸受が多様に利用されている。また、このような流体動圧軸受は、一般的にラジアル軸受部とスラスト軸受部で構成される。そして、前記ラジアル軸受部は、へリングボーン溝（ｈｅｒｒｉｎｇｂｏｎｅ  ｇｒｏｏｖｅ）が形成されてジャーナル区間に動圧を発生させ、前記スラスト軸受部はへリングボーン溝またはスパイラル溝（ｓｐｉｒａｌ  ｇｒｏｏｖｅ）が形成されてスラスト面に動圧を発生させる。
【０００３】
しかし、従来技術によるスピンドルモーターの場合、スラスト軸受部のハブの下部とスリーブの上部との間の微小隙間に形成されるため、摩擦力が大きく、これによって消費電力が大きくなるという問題点を有している。
【０００４】
以下、図面を参照して、従来技術によるスピンドルモーターの問題点について、より詳細に説明する。
【０００５】
図１は、従来技術によるスピンドルモーターを概略的に示した断面図であり、図２は、従来技術によるスピンドルモーターのスラスト軸受部の概略的な断面図である。
【０００６】
図示したように、前記スピンドルモーター１００は、回転軸１１０、ハブ１２０、マグネット１３０を含む回転部と、スリーブ１４０、ブラケット１５０、ステーター１６０、サポート１７０を含む固定部と、からなる。
【０００７】
そして、前記回転軸１１０は、前記スリーブ１４０によって回転自在に支持され、前記回転軸１１０には、ハブ１２０が結合され、ハブ１２０の内周面にマグネット１３０が固定される。
【０００８】
また、前記スリーブ１４０の外周面に前記ブラケット１５０が圧入または接着等によって結合され、前記ブラケット１５０の外周部には、ステーター１６０が圧入または接着等によって結合され、前記サポート１７０は、回転軸１１０を支持しながらスリーブ１４０に結合される。
【０００９】
上述のように構成されたスピンドルモーター１００で、前記スリーブ１４０の上端部と前記ハブ１２０の下端部との間に微小隙間が形成され、前記微小隙間には、潤滑流体としてオイルが充填されることによりスラスト動圧軸受部１８０が形成され、図２に図示したように、動圧発生溝１８１が形成される。そして、前記動圧発生溝１８１は、へリングボーン溝またはスパイラル溝で形成される。
【００１０】
また、前記回転軸１１０の外周部と前記スリーブ１４０の内周部との間に微小隙間が形成され、前記微小隙間には、潤滑流体としてオイルが充填されることによりラジアル動圧軸受部１９０が形成され、前記ラジアル動圧軸受部１９０には、回転軸の半径方向に動圧発生溝が形成される。
【００１１】
このように構成されることにより、前記ハブ１２０と前記スリーブ１４０とを組み立てる時、ハブの傾きなどによって前記スラスト動圧軸受部１８０で動圧の不均衡が発生し、前記スラスト動圧軸受部１８０に形成されたへリングボーン溝またはスパイラル溝によってパターンの不均衡が発生する場合、動圧の不均衡が発生するだけでなく、広い面積で具現されるスラスト動圧軸受部１８０の摩擦力によって消費電力の効率が低下するという問題点を有する。
【発明の概要】
【発明が解決しようとする課題】
【００１２】
本発明は、上述のような問題点を解決するために導き出されたものであり、本発明の目的は、スピンドルモーターのスラスト動圧軸受部を回転軸の下部とサポートの上部との間の微小隙間に形成することにより、摩擦力を減少させて消費電力の効率化を期待することができ、組み立て精度が高く、設計自由度が増加し、スラスト動圧軸受部にスクロール溝を形成することにより、回転不平衡、動圧不均衡の問題点を解決することができるスピンドルモーターを提供することにある。
【課題を解決するための手段】
【００１３】
本発明は、回転軸にハブが結合された回転部及びスリーブに回転軸が結合された固定部を含むスピンドルモーターであって、前記回転軸の下端部にはスラスト動圧軸受部が形成され、前記スラスト動圧軸受部にはスクロール溝が形成される。
【００１４】
また、前記回転軸の下端部には、回転軸を支持するサポートをさらに含み、前記回転軸とサポートとの間の微小隙間にスラスト動圧軸受部が形成される。
【００１５】
また、本発明の第１実施例による前記スラスト動圧軸受部は、連続したスクロール溝が形成される。
【００１６】
また、本発明の第２実施例による前記スラスト動圧軸受部は、連続したスクロール溝が始点と終点が夫々互いに対向するように複数個が形成される。
【００１７】
本発明の第３実施例による前記スラスト動圧軸受部は、複数の開放部を有する不連続したスクロール溝が形成される。
【００１８】
本発明の第４実施例による前記スラスト動圧軸受部は、複数の開放部を有する不連続したスクロール溝は、始点と終点が夫々互いに対向するように複数個が形成される。
【００１９】
また、前記スリーブの内周面とシャフトの外周面との間には、半径方向にラジアル動圧軸受部が形成される。
【００２０】
また、本発明によるスピンドルモーターの回転部は、回転軸と、前記回転軸の上端部に固定されるハブと、前記ハブの内周面に固定されるマグネットと、を含む。
【００２１】
また、本発明によるスピンドルモーターの固定部は、前記回転軸を回転自在に支持するスリーブと、前記スリーブの外周面に結合されるブラケットと、前記ブラケットの外周部に結合されるステーターと、前記回転軸の下部を支持し、スリーブに結合されるサポートと、を含む。
【００２２】
本発明の特徴及び利点は、添付図面に基づいた以下の詳細な説明によってさらに明らかになるであろう。
【００２３】
本発明の詳細な説明に先立ち、本明細書及び請求範囲に用いられた用語や単語は、通常的かつ辞書的な意味に解釈されてはならず、発明者が自らの発明を最善の方法で説明するために用語の概念を適切に定義することができるという原則にしたがって本発明の技術的思想にかなう意味と概念に解釈されるべきである。
【発明の効果】
【００２４】
本発明によると、スピンドルモーターのスラスト動圧軸受部を回転軸の下部とサポートの上部との間の微小隙間に形成することにより、摩擦力を減少させて消費電力の効率化を期待することができ、組み立て精度が高く、設計自由度が増加する。また、スラスト動圧軸受部にスクロール溝を形成することにより、回転不平衡、動圧不均衡の問題点を解決することができるスピンドルモーターを提供することができる。
【図面の簡単な説明】
【００２５】
【図１】従来技術によるスピンドルモーターを概略的に示した断面図である。
【図２】従来技術によるスピンドルモーターのスラスト軸受部の概略的な断面図である。
【図３】本発明によるスピンドルモーターを概略的に示した断面図である。
【図４】本発明によるスピンドルモーターの第１実施例によるスラスト動圧軸受部の概略的な断面図である。
【図５】本発明によるスピンドルモーターの第２実施例によるスラスト動圧軸受部の概略的な断面図である。
【図６】本発明によるスピンドルモーターの第３実施例によるスラスト動圧軸受部の概略的な断面図である。
【図７】本発明によるスピンドルモーターの第４実施例によるスラスト動圧軸受部の概略的な断面図である。
【発明を実施するための形態】
【００２６】
本発明の目的、特定の長所及び新規な特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「第１」、「第２」、「一面」、「他面」などの用語は、一つの構成要素を他の構成要素から区別するために用いられるものであり、構成要素が前記用語によって制限されるものではない。以下、本発明を説明するにあたり、本発明の要旨を不明瞭にする可能性がある係わる公知技術についての詳細な説明は省略する。
【００２７】
以下、添付された図面を参照して、本発明によるスピンドルモーターの好ましい実施例を詳細に説明する。
【００２８】
図３は、本発明によるスピンドルモーターを概略的に示した断面図である。
【００２９】
図示したように、前記スピンドルモーター２００は、回転軸２１０、ハブ２２０及びマグネット２３０を含む回転部と、スリーブ２４０、ブラケット２５０、ステーター２６０、サポート２７０を含む固定部と、からなる。
【００３０】
そして、前記回転軸２１０は、前記スリーブ２４０によって回転自在に支持され、前記回転軸２１０には、ハブ２２０が結合され、ハブ２２０の内周面にマグネット２３０が固定される。
【００３１】
また、前記スリーブ２４０の外周面に前記ブラケット２５０が圧入または接着等によって結合され、前記ブラケット２５０の外周部には、ステーター２６０が圧入または接着等によって結合され、前記サポート２７０は、回転軸２１０を支持しながらスリーブ２４０に結合される。
【００３２】
上述のように構成されたスピンドルモーター２００で、前記スリーブ２４０の下部と前記サポート２７０の上部との間に微小隙間が形成され、前記微小隙間には、潤滑流体としてオイルが充填され、スラスト動圧軸受部２８０が形成される。
【００３３】
また、前記回転軸２１０の外周部と前記スリーブ２４０の内周部との間に微小隙間が形成され、前記微小隙間には、潤滑流体としてオイルが充填され、ラジアル動圧軸受部２９０が形成される。
【００３４】
そして、前記スラスト動圧軸受部２８０には、図４から図７に図示したように、スクロール溝２８１が形成される。より具体的には、図４は、第１実施例によるスラスト動圧軸受部２８０ａを図示したものであり、連続したスクロール溝２８１が形成される。これにより、オイルが軸受部の中央に流入され、回転軸の浮上力を増大させることができる。
【００３５】
また、図５は、第２実施例によるスラスト動圧軸受部２８０ｂを図示したものであり、複数の開放部２８２を有する不連続したスクロール溝２８１が形成される。これにより、オイルが軸受部の中央に流入されると同時に、前記開放部２８２を介して自然に流出されることにより、スラスト動圧軸受部２８０をさらに安定的に具現することができる。
【００３６】
また、図６は、第３実施例によるスラスト動圧軸受部２８０ｃを図示したものであり、スクロール溝２８１は、始点と終点が夫々互いに対向するように複数個が形成される。これにより、オイルが軸受部の両側から流入されることにより、圧力を集中させ、回転軸の浮上力をさらに増大させることができる。
【００３７】
また、図７は、第４実施例によるスラスト動圧軸受部２８０ｄを図示したものであり、複数の開放部２８２を有する不連続したスクロール溝２８１は、始点と終点が夫々互いに対向するように複数個が形成される。これにより、オイルが軸受部の両側から中央に流入されて浮上力を増大させることができ、また、オイルが軸受部の両側から中央に流入されると同時に前記開放部２８２を介して自然に流出されることにより、スラスト動圧軸受部２８０をさらに安定的に具現することができる。
【００３８】
以上、本発明を具体的な実施例に基づいて詳細に説明したが、これは、本発明を具体的に説明するためのものであり、本発明によるスピンドルモーターは、これに限定されず、該当分野における通常の知識を有する者であれば、本発明の技術的思想内にての変形や改良が可能であることは明白であろう。
【００３９】
本発明の単純な変形乃至変更は、いずれも本発明の領域に属するものであり、本発明の具体的な保護範囲は、添付の特許請求の範囲により明確になるであろう。
【産業上の利用可能性】
【００４０】
本発明は、ハードディスクなどの記録ディスクの駆動装置として用いられるスピンドルモーターに適用可能である。
【符号の説明】
【００４１】
１００、２００  スピンドルモーター
１１０、２１０  回転軸
１２０、２２０  ハブ
１３０、２３０  マグネット
１４０、２４０  スリーブ
１５０、２５０  ブラケット
１６０、２６０  ステーター
１７０、２７０  サポート
１８０、２８０  スラスト動圧軸受部
１８１  動圧発生溝
１９０、２９０  ラジアル動圧軸受部
２８０ａ、２８０ｂ、２８０ｃ、２８０ｄ  スラスト動圧軸受部
２８１  スクロール溝
２８２  開放部
【図１】
0005498999.tif 000002
【図２】
0005498999.tif 000003
【図３】
0005498999.tif 000004
【図４】
0005498999.tif 000005
【図５】
0005498999.tif 000006
【図６】
0005498999.tif 000007
【図７】
0005498999.tif 000008